(57)【要約】【課題】ウイルス等の不活化ができると同時にスキンケア等の付加機能を有する抗ウイルスマスクの提供。【解決手段】繊維シート２３よりなるマスク本体２１と、該マスク本体の両端部に設けた耳掛け部２５とからなるマスク２０において、アスコルビン酸誘導体が固着した抗ウィルス用繊維シート２２を該マスク本体に積層してなることを特徴とする抗ウイルスマスク。【選択図】        図１
2004313415.tif 000002
【特許請求の範囲】
【請求項１】
繊維シートよりなるマスク本体と、該マスク本体の両端部に設けた耳掛け部とからなるマスクにおいて、アスコルビン酸誘導体が固着した抗ウィルス用繊維シートを該マスク本体に積層してなることを特徴とする抗ウイルスマスク。
【請求項２】
前記アスコルビン酸誘導体が安定型の油溶性アスコルビン酸類である請求項１に記載の抗ウイルスマスク。
【請求項３】
前記アスコルビン酸誘導体が固着した抗ウイルス用繊維シートを、前記マスク本体の皮膚に直接触れる側に積層した請求項１または２に記載の抗ウイルスマスク。
【請求項４】
抗菌機能および／またはエレクトレットフィルター機能をも有する請求項１〜３のいずれか記載の抗ウイルスマスク。
【発明の詳細な説明】
【０００１】
【発明の属する技術分野】
本発明は、ウイルス等の不活化が可能な抗ウイルスマスクに関するものである。
【０００２】
【従来の技術】
空気中の粉塵、花粉、細菌やウイルス等が呼吸を介して体内への侵入を防ぐ目的で衛生用もしくは医療用等のマスクは以前から広く知られている。
【０００３】
従来、このようなマスクとしては、例えば特許文献１〜５などがある。特許文献１には、ゼオライトを繊維類に接着することにより、ウイルス等の有害成分を吸着捕捉するマスクが、また特許文献２には、ハイドロキシアパタイト等のリン酸カルシウム系化合物を不織布などのシートに担持させ、かつ多数の微小通気孔により、各種細菌、ウイルス等の有害成分を捕捉するマスクが開示されている。しかしながら、ウイルス等を物理的に吸着させたこれらの方法では、活性状態のウイルスがマスク本体に存在しうる。また、吸着能力が限界に達すると、活性状態のウイルスがマスク本体を通して人体内に侵入することも考えられ、あまり有効なものとはいえない。
【０００４】
一方、薬剤を用いてウイルス等を化学的に不活化させるようなマスクとして、例えば特許文献３や４には茶の抽出成分である茶ポリフェノールを不織布に添着した抗ウイルスマスクが、また、特許文献５には、銀付繊維を用いた抗菌マスクが開示されている。それら薬剤は通常、皮膚に対して安全であるとは言われているものの、人によってはアレルギーを起こしてしまうなどの問題があり、必ずしも全く安全なものとは言いきれない。
【０００５】
また、一般的に、マスクは口元周辺に着用され、皮膚に直接ないしは間接的に触れるが、それら従来のマスクにおいては粉塵、花粉、細菌やウイルス等の異物を何らかの方法で防ぐという単独機能を有するのみであり、口元周辺のスキンケア等の観点にまでは考慮されてはいない。
【０００６】
【特許文献１】
特開昭５３−５６８９４号公報
【特許文献２】
特開平５−１１５５７２号公報
【特許文献３】
特開平８−３３３２７１号公報
【特許文献４】
特開２００２−１３６６１５号公報
【特許文献５】
特開平１１−１９２３８号公報
【０００７】
【発明が解決しようとする課題】
本発明の課題は、上述の事情に鑑みなされたもので、ウイルス等の不活化ができると同時にスキンケア等の付加機能を有する抗ウイルスマスクを提供することにある。
【０００８】
【課題を解決するための手段】
本発明者らは、上記課題を解決すべく、鋭意研究を重ねた結果、アスコルビン酸誘導体が固着した繊維シートであれば、ウイルス等を化学的に不活化させ、各種感染を防ぐことができると共に、アスコルビン酸誘導体を皮膚表面から体内へ徐放出させることが可能な、スキンケア等の付加機能を有する抗ウイルスマスクが得られることを見出し、本発明を完成するに至った。
【０００９】
本発明の第１は、繊維シートよりなるマスク本体と、該マスク本体の両端部に設けた耳掛け部とからなるマスクにおいて、アスコルビン酸誘導体が固着した抗ウィルス用繊維シートを該マスク本体に積層してなることを特徴とする抗ウイルスマスクに関する。
本発明の第２は、前記アスコルビン酸誘導体が安定型の油溶性アスコルビン酸類である請求項１に記載の抗ウイルスマスクに関する。
本発明の第３は、前記アスコルビン酸誘導体が固着した抗ウイルス用繊維シートを、前記マスク本体の皮膚に直接触れる側に積層した請求項１または２に記載の抗ウイルスマスクに関する。
本発明の第４は、抗菌機能および／またはエレクトレットフィルター（いいかえれば静電フィルター）機能をも有する請求項１〜３のいずれか記載の抗ウイルスマスクに関する。
【００１０】
本発明においては、アスコルビン酸誘導体が固着した繊維シートを用いることによって、空気中の飛沫ウイルス、及び呼吸によって排泄されるウイルスは、該抗ウイルス用繊維シートに接触することにより不活化される。
【００１１】
本発明におけるアスコルビン酸誘導体とは、安定型のアスコルビン酸類を意味する。すなわち、一般的に不安定とされているアスコルビン酸、及びアスコルビン酸塩以外の油溶性アスコルビン酸エステル類、すなわちアスコルビン酸モノエステル、アスコルビン酸ジエステル、アスコルビン酸トリエステル、アスコルビン酸テトラエステルを意味する。アスコルビン酸エステルのなかでもＬ−アスコルビン酸エステル、とくにＬ−アスコルビン酸アルキルエステル、とりわけＬ−アスコルビン酸ポリアルキルエステルが好ましい。具体的化合物としては、アスコルビン酸パルミテート（パルミチン酸アスコルビル）、アスコルビン酸ステアレート（ステアリン酸アスコルビル）、ジパルミチン酸アスコルビル、テトラヘキシルデカン酸アスコルビル、テトラ２−ヘキシルデカン酸アスコルビル、アスコルビン酸リン酸アミノプロピルなどを挙げることができる。
【００１２】
アスコルビン酸誘導体を繊維シートに固着させる方法としてはとくに制限はないが、たとえば繊維シートの表面層ないしは繊維間に固着させる方法、いわゆる後処理加工法やシートにする前の繊維に固着させる前処理方法などを採用することができる。一例としては、特開２００２−６１０７３号公報の記載による、アスコルビン酸誘導体と界面活性剤と水を混合した乳化液に繊維シートを浸漬し、乾燥処理する方法が挙げられる。それらの方法により、アスコルビン酸誘導体を繊維シート１ｇに対して０．１〜４５ｍｇ程度の範囲で固着させることができる。
【００１３】
前記界面活性剤としては、ポリオキシエチレンアルキルエーテル硫酸ナトリウムのようなポリオキシエチレン系のアニオン系界面活性剤や、ポリオキシエチレン誘導体、ソルビタンアルキレートなどの非イオン系界面活性剤が好ましい。
【００１４】
本発明における繊維シートは、いわゆる布帛状のものであればとくに制限はなく、織物、編物、不織布などを挙げることができる。使用される繊維素材としては綿、羊毛、絹等の天然繊維、ポリエステル、ポリオレフィン、ナイロン、アクリル等の合成繊維、レーヨン、ポリノジック、アセテート等の再生繊維が挙げられる。
【００１５】
繊維シートを複数枚用いたマスク本体は、古くから用いられているガーゼの積層体（通常ガーゼ２０枚程度積層）であってもよいし、最近よくみられる不織布の積層体（通常５枚程度を積層）であってもよく、マスク本体には全く制限はない。
【００１６】
なお、本発明の抗ウイルス用繊維シートには、あらかじめアスコルビン酸誘導体が固着された加工品を使用できる。このような加工品の一例としては、富士紡績株式会社製のＶ−ＵＰ（商品名）が挙げられる。これらの抗ウイルス用繊維シートは本発明ではマスク用に選択的に使用するものであるが、サポーター、バンソー膏のパッド、ガーゼ、包帯などに選択的に使用することもできる。
【００１７】
本発明の抗ウイルスマスクは、前述のアスコルビン酸誘導体を固着した抗ウイルス用繊維シートをマスク本体に積層し、その両端部に耳掛け部を設けることにより得ることができるが、必要に応じて耳掛け部も抗ウイルス用繊維を使用してもよく、抗ウイルス用繊維シートをマスク本体に積層したもので、耳掛け部を含め、マスク全体を構成してもよい。
【００１８】
本発明におけるマスク本体は、アスコルビン酸誘導体が固着された抗ウイルス用繊維シートの他に普通のマスク用の繊維シートを１層以上積層してもよい。積層の順序としては、アスコルビン酸誘導体が固着された抗ウイルス用繊維シートが皮膚に直接触れる側とすることが最も好ましい。
【００１９】
一般的に、アスコルビン酸誘導体は、アスコルビン酸の前駆体もしくはプロビタミン剤とも呼ばれており、化粧品等でよく使用されている。アスコルビン酸誘導体が生体内に吸収されると、生体内酵素によって、アスコルビン酸に分解するため、アスコルビン酸の本来持っているメラニン生成の抑制、美白作用、色素沈着抑制、抗酸化作用、コラーゲンの生成促進等の効果を発揮するとされている。したがって、アスコルビン酸誘導体が固着された抗ウイルス用繊維シートに皮膚が直接触れることで、ウイルス等が不活化されると共に、アスコルビン酸誘導体が、皮膚表面の皮脂成分を介して、体内に徐放出させることが可能になる。
【００２０】
また、本発明においては前記抗ウイルス機能に加えて、抗菌機能および／またはエレクトレットフィルター機能をさらに付与することもできる。このためには抗ウイルス用繊維シートにさらに抗菌機能やエレクトレットフィルター機能をもたせてもよいが、マスク本体に、抗菌シートやエレクトレットフィルターを単独あるいは併用し積層することもできる。勿論この場合もアスコルビン酸誘導体を固着した抗ウイルス用繊維シートが皮膚と直接接触するように積層することが好ましい。このような積層によって、空気中の各種有害成分が、呼吸を介して体内へ侵入するのを更に防ぐこと、及び体内から空気中に各種有害成分が排泄されるのを防ぐことが可能になる。
【００２１】
本発明に使用できる前記抗菌シートは、抗菌作用を有する成分が繊維シートに含まれているものである。このような抗菌作用を有する成分としては、キトサン、ヒノキチオール等の天然系抗菌剤、シリコン第四級アンモニウム塩、ビグアナイド系化合物、イミダゾール系化合物等の有機系抗菌剤、銀ゼオライト、銀シリカゲル、酸化チタン、活性炭等の無機系抗菌剤が挙げられる。該抗菌シートを加工する方法としては、公知の方法、例えば後処理加工法、あるいは原糸改良加工法のいずれかで行えばよい。また、あらかじめ抗菌剤が含まれた加工品を使用してもよい。該他の抗菌シートの選択によって、各種細菌類をも不活化することが可能になる。
【００２２】
本発明に使用できるエレクトレットフィルターは、誘電体である樹脂繊維などに静電気を帯電させたものである。繊維素材としては、静電気が帯電しやすいもの、例えば、ポリオレフィン、ポリエステル、又はそれらの共重合体が好ましく、繊維の形状としてはとくに不織布状のものが好ましい。エレクトレット化の方法としては、公知の方法、例えば、熱エレクトレット法、エレクトロエレクトレット法などいずれの方法で行ってもよい。また、あらかじめ帯電された加工品を使用してもよい。このような加工品の一例としては、東レ株式会社製のトレミクロン（商品名）、東洋紡績株式会社製のエリトロン（商品名）、日本バイリーン株式会社製のＶＥ−２Ｎ（商品名）などが挙げられる。該エレクトレットフィルターを用いることによって、粉塵、花粉、ウイルス、タバコの煙等の有害成分を電気的に吸着することが可能になる。
【００２３】
また、マスク本体への付加機能として、２段、または３段などのヒダ折り成形を施してもよい。それによって、鼻から顎まで広く覆うことや、口元周辺にフィットする等のことが可能になる。更に、ノーズワイヤーや口元ワイヤーを設けても良い。とくに口元ワイヤーは、それによって、口元周辺へのフィット性が更に向上するうえ、息苦しさが軽減し、口紅もつきにくいなどのメリットがある。またノーズワイヤーは鼻部分によくフィットし、空気もれが少なく、眼鏡着用者にとっては、眼鏡の曇りを防止することもできる。
【００２４】
【実施例】
以下、本発明を実験例および実施例により具体的に説明するが、これらにより本発明はなんら限定されるものではない。
【００２５】
（試験例）
アスコルビン酸誘導体が固着された抗ウイルス用繊維シートのウイルス不活化効果確認試験を行った。
（１）使用材料
・供試物質：下記式で示されるアスコルビン酸誘導体（アスコルビン酸テトラ−２−ヘキシルデシルエステル、別名テトラ２−ヘキシルデカン酸アスコルビル）固着ポリエステル不織布（Ｖ−ＵＰ加工品：富士紡績株式会社製）｛（Ａ）０．２２２ｍｇ／ｇ、（Ｂ）１．７１５ｍｇ／ｇ（Ｃ）５．１５１ｍｇ／ｇ｝よりなる抗ウイルス用繊維シート、及びブランクのポリエステル不織布｛（Ｄ）０ｍｇ／ｇ｝
【化１】
2004313415.tif 000003
・ウイルス：Ｉｎｆｌｕｅｎｚａ  ｖｉｒｕｓ（Ｈ１Ｎ１）
Ａ／ＰＲ８／３４（ＡＴＣＣ  ＶＲ−９５）
・細胞：ＭＤＣＫ細胞（イヌ腎細胞）〔入手先：大日本製薬（株）〕
・細胞増殖培地：１０％牛胎児血清含有イーグルＭＥＮ培地（ＧＩＢＣＯ製）
・ウイルス維持培地：１％牛アルブミン含有イーグルＭＥＮ培地（ＧＩＢＣＯ製）
（２）試験方法
ａ）供試物質とウイルスの接触方法
供試物質は、２×２ｃｍ程度の大きさに細切りし、１２１℃２０分間高圧蒸気滅菌を行った。この供試物質をシャーレに４枚入れ、ウイルス液５００μｌを添加し、室温で３０分間作用させた。
ｂ）細胞への接種方法
予め、マイクロプレートにて培養した細胞増殖培地を除去し、ＰＢＳ（−）で細胞を洗浄した後、供試物質接触（作用）後のウイルス液（１０倍段階希釈）５０μｌを６０分間感染させた。感染後、ウイルス液を除去してウイルス維持培地を加え、３７℃、５（ｖ／ｖ）％ＣＯ２条件下のふらん器内で培養を行った。
ｃ）判定方法
ＣＰＥ（細胞変性効果）出現の有無により、Ｒｅｅｄ−Ｍｕｅｎｃｈ法によって、５０％感染価（ＴＣＩＤ５０）を求めた。
（３）試験結果
各供試物質のＴＣＩＤ５０を表１に示した。以上のことから、アスコルビン酸誘導体固着抗ウイルス用繊維シートのウイルス不活化効果が確認された。
【００２６】
【表１】
2004313415.tif 000004
【００２７】
実施例１
ポリエステル不織布３枚（マスク本体）、アスコルビン酸誘導体固着ポリエステル不織布〔Ｖ−ＵＰ加工品：テトラ−２−ヘキシルデカン酸アスコルビル（アスコルビルテトライソパルミテート）１．７１５ｍｇ／ｇ含有：富士紡績株式会社製よりなる抗ウイルス用繊維シート〕１枚の順に重ね、図１に示すようなヒダ折り成形を施した積層体を得た。ついでこの内部にノーズワイヤーを設け、該積層体の周縁部を縫製し、さらに耳掛けウーリーゴムを設けて図１に示すような抗ウイルスマスクを作成した。このマスクは図１にみられるように、口元周辺にもプラスチック等のバー（口元ワイヤー）２７を用いているが、これは必須ではない。口元ワイヤーを用いない場合であっても、該周辺にミシン目を設けることが好ましい。プラチック等のバー（口元ワイヤー）を用いる時とほぼ同様の効果が期待できるからである。なお、実施例１の変形として、マスク本体とアスコルビン酸誘導体固着ポリエステル不織布との間に静電フィルター、抗菌シートをそれぞれ挿入したもの、および両者を挿入したマスクも作成した。いずれも所期の効果をもつマスクであった。
【００２８】
実施例２
ポリエステル不織布３枚（マスク本体）、アスコルビン酸誘導体固着ポリエステル不織布（Ｖ−ＵＰ加工品：富士紡績株式会社製よりなる抗ウイルス用繊維シート）１枚の順に重ね、３段ヒダ折り成形を施した積層体を得た。次に、該積層体内部に、ノーズワイヤー（塩化ビニル被覆鉄芯）を設け、該積層体周縁部を縫製した。更に、耳掛けウーリーゴムを設け、図２に示すような抗ウイルスマスクを作成した。このマスクは期待どうりの効果を示した。
【００２９】
実施例３
ポリエステル不織布、エレクトレットフィルター〔帯電加工ポリオレフィン不織布：（ＶＥ−２Ｎ）日本バイリーン株式会社製〕、抗菌シート〔銀ゼオライト（商品名：ゼオミック：株式会社シナネンゼオミック製）固着ポリオレフィン不織布〕、アスコルビン酸誘導体固着ポリエステル不織布（Ｖ−ＵＰ加工品：富士紡績株式会社製）よりなる抗ウイルス用繊維シートをそれぞれ１枚ずつ記載の順に重ねた以外は、実施例２と同様にして、図３に示すような抗ウイルスマスクを作成した。このマスクも期待どうりの効果を示した。
【００３０】
実施例４
ガーゼ３枚（マスク本体）、実施例１で用いたと同じアスコルビン酸誘導体固着ポリエステル不織布１枚の順に重ねて積層体を得、この端部に耳掛けウーリーゴムを通して縫製し、抗ウイルスガーゼマスクを作成した。このマスクも期待どうりの効果を発揮した。
【００３１】
【発明の効果】
本発明の抗ウイルスマスクは、アスコルビン酸誘導体が固着した繊維シートが積層されているので、ウイルスを不活化させ、風邪、インフルエンザ等の各種感染予防に有効である。それと同時に、アスコルビン酸誘導体を皮膚より摂取することが可能になるため、スキンケア等にも有効である。更に、抗菌シートおよび／またはエレクトレットフィルターをさらに積層することで、ウイルス・細菌等が体内へ侵入することを更に防げると共に、空気中のその他あらゆる有害成分をも防ぐことが可能になる。
【図面の簡単な説明】
【図１】（ａ）は、本発明に係る実施例１の抗ウイルスマスクの口に接触する側の一部切欠斜視図である。
（ｂ）は、本発明に係る実施例１の抗ウイルスマスクの正面図〔（ａ）の裏側からみた正面図〕である。
【図２】本発明に係る実施例２の抗ウイルスマスクの一部切欠斜視図である。
【図３】本発明に係る実施例３の抗ウイルスマスクの一部切欠斜視図である。
【符号の説明】
２０  マスク
２１  マスク本体
２２  アスコルビン酸誘導体が固着した繊維シート
２３  繊維シート
２４  ノーズワイヤー
２５  耳掛け部
２６  折り目部
２７  プラスチック等のバー
２８  ミシン目
２３１  抗菌シート
２３２  エレクトレットフィルター
２３３  不織布
【図１】
2004313415.tif 000005
【図２】
2004313415.tif 000006
【図３】
2004313415.tif 000007